(57)【要約】【課題】輸液バッグを外装袋に収容したままで使用する輸液バッグユニットを提供する。【解決手段】輸液バッグ３外装袋５を備えた輸液バッグユニット１である。外装袋は、外側シール２７と内側シール３１を有する。内側シールは、右側シール部３５と左側シール部３７と、口栓が進入可能な大きさ中央非シール部３９を有する。外装袋は更に、内側シールと外側シールとの間又は内側シールに、外装袋の右側又は左側の一方の側部から他方の側部に向けて左右方向に外装袋を破断するときに外装袋に形成される破断線６１が中央非シール部を左右方向に横断するように案内する案内部５１，５３，６５,６７を有する。【選択図】図１
2014124329.tif 000002
【特許請求の範囲】
【請求項１】
輸液バッグ（３）と該輸液バッグ（３）を収納した外装袋（５）とを備え、
（ａ）  前記輸液バッグ（３）は、輸液（７）と、該輸液（７）を収容する輸液収納袋（９）と、該輸液収納袋（９）の下端部に固定された口栓（１７）とを有し、
（ｂ）  前記外装袋（５）は、
前記外装袋（５）に前記輸液バッグ（３）を収納した状態で前記輸液バッグ（３）の表側と裏側に対向する表側シート部（１９）と裏側シート部（２１）を有し、
前記表側シート部（１９）と前記裏側シート部（２１）は、前記外装袋（５）に収納された前記輸液バッグ（３）の周りで互いに連結されている、輸液バッグユニット（１）であって、
（ｃ）  前記外装袋（５）は、
前記外装袋（５）に前記輸液バッグ（３）が収納された状態で、前記輸液バッグ（３）の下端部に対向する下縁と、前記輸液バッグの上端部に対向する上縁と、前記下縁と前記上縁を互いに接続する両縁を有し、
（ｃ１）  前記外装袋はまた、
前記下縁に沿って前記表側シート部（１９）と前記裏側シート部（２１）を溶着する外側シール（２７）と、前記外装袋（５）に収納された前記輸液バッグ（３）の前記輸液収納袋（９）と前記外側シール（２７）との間に位置して前記表側シート部（１９）と前記裏側シート部（２１）を溶着する内側シール（３１）を有し、
前記内側シール（３１）は、前記外装袋（５）に収納された前記輸液バッグ（３）の前記口栓（１７）の左右両側に位置して前記表側シート部（１９）と前記裏側シート部（２１）を溶着する右側シール部（３５）と左側シール部（３７）と、該右側シール部（３５）と左側シール部（３７）の間にあって前記口栓（１７）が進入可能な大きさ中央非シール部（３９）を有し、
（ｃ２）  前記外装袋（５）は更に、前記内側シール（３１）と前記外側シール（２７）との間又は前記内側シール（３１）に、前記外装袋（５）の右側又は左側の一方の側部から他方の側部に向けて左右方向に前記外装袋（５）を破断するときに前記外装袋（５）に形成される破断線（６１）が前記中央非シール部（３９）を左右方向に横断するように案内する案内部（５１，５３，６５,６７）が形成されていることを特徴とする輸液バッグユニット。
【請求項２】
前記外側シール（２７）と前記内側シール（３１）が上下方向に離間し、前記外側シール（２７）と前記内側シール（３１）の間には前記表側シート部（１９）と前記裏側シート部（２１）を溶着しない横方向非シール部（３３）が形成されており、
前記横方向非シール部（３３）が前記中央非シール部（３９）に連通しており、
前記内側シール（３１）が前記破断線（６１）を案内する案内部として機能するようにしてあることを特徴とする請求項１の輸液バッグユニット。
【請求項３】
前記右側シール部（３５）と左側シール部（３７）はそれぞれ前記外側シール（２７）に対向する下縁（５１，５３）を有し、
前記外装袋（５）は前記一方又は前記他方の側部（２５）であって前記外側シール（２７）と前記内側シール（３１）の間に、前記破断線（６１）の始端となる切り込み（５９）を有し、
前記切り込み（５９）により近い前記右側シール部（３５）又は前記左側シール（３７）の下縁（５１，５３）は、外側から内側に向かって次第に前記外側シール（２７）に近づくように下方に傾斜していることを特徴とする請求項２の輸液バッグユニット。
【請求項４】
前記右側シール部（３５）と左側シール部（３７）はそれぞれ前記外側シール（２７）に対向する下縁（５１，５３）を有し、
前記外装袋（５）は前記一方又は前記他方の側部（２５）であって、前記外側シール（２７）と前記内側シール（３１）の間に、前記破断線（６１）の始端となる切り込み（５９）を有し、
前記右側シール部（３５）と左側シール部（３７）の下縁（５１，５３）は前記切り込み（５９）から遠ざかる方向に向かって下方に傾斜していることを特徴とする請求項２の輸液バッグユニット。
【請求項５】
前記右側シール部（３５）と左側シール部（３７）はそれぞれ前記外側シール（２７）に対向する下縁（５１，５３）を有し、
前記外装袋（５）は前記一方又は前記他方の側部（２５）であって、前記外側シール（２７）と前記内側シール（３１）の間に、前記破断線（６１）の始端となる切り込み（５９）を有し、
前記右側シール部（３５）又は左側シール部（３７）のうちで前記切り込み（５９）により近いものの内側端部（５５）は前記右側シール又は左側シールのうちで前記切り込み（５９）により遠いものの内側端部（５７）よりも前記外側シール（２７）により近いことを特徴とする請求項２の輸液バッグユニット。
【請求項６】
前記右側シールと左側シールはそれぞれ前記輸液収納袋に対向する上縁を有し、
前記上縁は、前記口栓の両側に位置して前記上縁に対向する肩部の傾斜角度に対応する角度をもって傾斜していることを特徴とする請求項２〜５のいずれかの輸液バッグユニット。
【請求項７】
前記外側シール（２７）と前記内側シール（３１）が上下方向に繋がっており、
前記内側シール（３１）には左右方向に伸びて前記破断線（６１）を案内する脆弱部（６７）が形成されており、
前記脆弱部（６７）が前記破断線（６１）を案内する案内部として機能するようにしてあることを特徴とする請求項１に記載の輸液バッグユニット。
【請求項８】
前記外装袋（５）は、上端部に吊り下げ用穴（２９）が形成されていることを特徴とする請求項１〜７のいずれかの輸液バッグユニット。
【請求項９】
輸液バッグ（３）と該輸液バッグ（３）を収納した外装袋（５）とを備え、
（ａ）  前記輸液バッグ（３）は、輸液（７）と、該輸液（７）を収容する輸液収納袋（９）と、該輸液収納袋（９）の下端部に固定された口栓（１７）とを有し、
（ｂ）  前記外装袋（５）は、
前記外装袋（５）に前記輸液バッグ（３）を収納した状態で前記輸液バッグ（３）の表側と裏側に対向する表側シート部（１９）と裏側シート部（２１）を有し、
前記表側シート部（１９）と前記裏側シート部（２１）は、前記外装袋（５）に収納された前記輸液バッグ（３）の周りで互いに連結されている、輸液バッグユニット（１）とともに利用される前記外装体（５）であって、
（ｃ）  前記外装袋（５）は、
前記外装袋（５）に前記輸液バッグ（３）が収納された状態で、前記輸液バッグ（３）の下端部に対向する下縁と、前記輸液バッグの上端部に対向する上縁と、前記下縁と前記上縁を互いに接続する両縁を有し、
（ｃ１）  前記外装袋はまた、
前記下縁に沿って前記表側シート部（１９）と前記裏側シート部（２１）を溶着する外側シール（２７）と、前記外装袋（５）に収納された前記輸液バッグ（３）の前記輸液収納袋（９）と前記外側シール（２７）との間に位置して前記表側シート部（１９）と前記裏側シート部（２１）を溶着する内側シール（３１）を有し、
前記内側シール（３１）は、前記外装袋（５）に収納された前記輸液バッグ（３）の前記口栓（１７）の左右両側に位置して前記表側シート部（１９）と前記裏側シート部（２１）を溶着する右側シール部（３５）と左側シール部（３７）と、該右側シール部（３５）と左側シール部（３７）の間にあって前記口栓（１７）が進入可能な大きさ中央非シール部（３９）を有し、
（ｃ２）  前記外装袋（５）は更に、前記内側シール（３１）と前記外側シール（２７）との間又は前記内側シール（３１）に、前記外装袋（５）の右側又は左側の一方の側部から他方の側部に向けて左右方向に前記外装袋（５）を破断するときに前記外装袋（５）に形成される破断線（６１）が前記中央非シール部（３９）を左右方向に横断するように案内する案内部（５１，５３，６５,６７）が形成されていることを特徴とする輸液バッグユニット用外装体。
【請求項１０】
前記外側シール（２７）と前記内側シール（３１）が上下方向に離間し、前記外側シール（２７）と前記内側シール（３１）の間には前記表側シート部（１９）と前記裏側シート部（２１）を溶着しない横方向非シール部（３３）が形成されており、
前記横方向非シール部（３３）が前記中央非シール部（３９）に連通しており、
前記内側シール（３１）が前記破断線（６１）を案内する案内部として機能するようにしてあることを特徴とする請求項９の輸液バッグユニット用外装体。
【請求項１１】
前記右側シール部（３５）と左側シール部（３７）はそれぞれ前記外側シール（２７）に対向する下縁（５１，５３）を有し、
前記外装袋（５）は前記一方又は前記他方の側部（２５）であって前記外側シール（２７）と前記内側シール（３１）の間に、前記破断線（６１）の始端となる切り込み（５９）を有し、
前記切り込み（５９）により近い前記右側シール部（３５）又は前記左側シール（３７）の下縁（５１，５３）は、外側から内側に向かって次第に前記外側シール（２７）に近づくように下方に傾斜していることを特徴とする請求項９の輸液バッグユニット用外装体。
【請求項１２】
前記右側シール部（３５）と左側シール部（３７）はそれぞれ前記外側シール（２７）に対向する下縁（５１，５３）を有し、
前記外装袋（５）は前記一方又は前記他方の側部（２５）であって、前記外側シール（２７）と前記内側シール（３１）の間に、前記破断線（６１）の始端となる切り込み（５９）を有し、
前記右側シール部（３５）と左側シール部（３７）の下縁（５１，５３）は前記切り込み（５９）から遠ざかる方向に向かって下方に傾斜していることを特徴とする請求項１０の輸液バッグユニット用外装体。
【請求項１３】
前記右側シール部（３５）と左側シール部（３７）はそれぞれ前記外側シール（２７）に対向する下縁（５１，５３）を有し、
前記外装袋（５）は前記一方又は前記他方の側部（２５）であって、前記外側シール（２７）と前記内側シール（３１）の間に、前記破断線（６１）の始端となる切り込み（５９）を有し、
前記右側シール部（３５）又は左側シール部（３７）のうちで前記切り込み（５９）により近いものの内側端部（５５）は前記右側シール又は左側シールのうちで前記切り込み（５９）により遠いものの内側端部（５７）よりも前記外側シール（２７）により近いことを特徴とする請求項１０の輸液バッグユニット用外装体。
【請求項１４】
前記右側シールと左側シールはそれぞれ前記輸液収納袋に対向する上縁を有し、
前記上縁は、前記口栓の両側に位置して前記上縁に対向する肩部の傾斜角度に対応する角度をもって傾斜していることを特徴とする請求項９〜１３のいずれかの輸液バッグユニット外装体。
【請求項１５】
前記外側シール（２７）と前記内側シール（３１）が上下方向に繋がっており、
前記内側シール（３１）には左右方向に伸びて前記破断線（６１）を案内する脆弱部（６７）が形成されており、
前記脆弱部（６７）が前記破断線（６１）を案内する案内部として機能するようにしてあることを特徴とする請求項９に記載の輸液バッグユニット外装体。
【請求項１６】
前記外装袋（５）は、上端部に吊り下げ用穴（２９）が形成されていることを特徴とする請求項９〜１５のいずれかの輸液バッグユニット外装体。
【発明の詳細な説明】
【技術分野】
【０００１】
本発明は、輸液バッグを収納する外装袋と、該外装袋に輸液バッグを収納した輸液バッグユニットに関する。
【背景技術】
【０００２】
特許文献１に、輸液バッグを収納する輸液バッグ用外装袋が開示されている。この輸液バッグ外装袋は、輸液バッグの下端口栓（薬剤排出部）に対向する箇所に易開封性の弱シールからなる下部開口予定部が形成されており、使用時、該下部開口予定部を開封して開口を形成しその開口に口栓を挿通することで、口栓だけを外部に露出させるものである。そのために、特許文献１に記載の外装袋は、使用時に下部開口予定部を引っ張ることで該下部開口予定部の弱シールが容易に剥離するようにしてある。しかし、例えば、外装袋に収納された輸液バッグの輸送時又は取扱い時、下部開口予定部に無理な力が作用すると該下部開口予定部が不用意に開封してしまうおそれがある。
【先行技術文献】
【特許文献】
【０００３】
【特許文献１】特開２００６−８７６７０号公報
【発明の概要】
【発明が解決しようとする課題】
【０００４】
そこで、本発明は、特許文献１に記載の輸液バッグ外装袋における問題を解消するとともに、輸液バッグを外装体に収容したままで使用する新たな輸液バッグシステムを提供することを目的とする。
【課題を解決するための手段】
【０００５】
この目的を達成するため、本発明に係る輸液バッグシステムは、輸液バッグ（３）と該輸液バッグ（３）を収納した外装袋（５）とを備えている。
（ａ）  前記輸液バッグ（３）は、輸液（７）と、該輸液（７）を収容する輸液収納袋（９）と、該輸液収納袋（９）の下端部に固定された口栓（１７）とを有する。
（ｂ）  前記外装袋（５）は、前記外装袋（５）に前記輸液バッグ（３）を収納した状態で前記輸液バッグ（３）の表側と裏側に対向する表側シート部（１９）と裏側シート部（２１）を有し、前記表側シート部（１９）と前記裏側シート部（２１）は、前記外装袋（５）に収納された前記輸液バッグ（３）の周りで互いに連結されている。
そして、
（ｃ）  前記外装袋（５）は、前記外装袋（５）に前記輸液バッグ（３）が収納された状態で、前記輸液バッグ（３）の下端部に対向する下縁と、前記輸液バッグの上端部に対向する上縁と、前記下縁と前記上縁を互いに接続する両縁を有し、
（ｃ１）  前記外装袋はまた、前記下縁に沿って前記表側シート部（１９）と前記裏側シート部（２１）を溶着する外側シール（２７）と、前記外装袋（５）に収納された前記輸液バッグ（３）の前記輸液収納袋（９）と前記外側シール（２７）との間に位置して前記表側シート部（１９）と前記裏側シート部（２１）を溶着する内側シール（３１）を有し、
前記内側シール（３１）は、前記外装袋（５）に収納された前記輸液バッグ（３）の前記口栓（１７）の左右両側に位置して前記表側シート部（１９）と前記裏側シート部（２１）を溶着する右側シール部（３５）と左側シール部（３７）と、該右側シール部（３５）と左側シール部（３７）の間にあって前記口栓（１７）が進入可能な大きさ中央非シール部（３９）を有し、
（ｃ２）  前記外装袋（５）は更に、前記内側シール（３１）と前記外側シール（２７）との間又は前記内側シール（３１）に、前記外装袋（５）の右側又は左側の一方の側部から他方の側部に向けて左右方向に前記外装袋（５）を破断するときに前記外装袋（５）に形成される破断線（６１）が前記中央非シール部（３９）を左右方向に横断するように案内する案内部（５１，５３，６５,６７）が形成されている。
【発明の効果】
【０００６】
このように構成された本発明の輸液バッグシステム及び外装袋によれば、輸液バッグシステムの輸送時又は取扱い時、輸液バッグが不用意に外装体から露出することがない。また、開封時に破断線が内側シールと外側シールの間又は内側シールを確実に横断し、使用状態で輸液バッグの口栓だけを外装体から露出させることができる。
【図面の簡単な説明】
【０００７】
【図１】本発明に係る輸液バッグシステムの正面図であって該輸液バッグシステムを構成する外装体と輸液バッグの一部をそれぞれ切除した図である。
【図２】図１に示す外装体の部分正面図。
【図３】図１に示す輸液バッグシステムの製造を説明する図で、図１に示す外装体と輸液バッグを上下反転した図である。
【図４】輸液バッグシステムの使用を説明する図である。
【図５】輸液バッグシステムの使用を説明する図である。
【図６】輸液バッグシステムの使用を説明する図である。
【図７】輸液バッグシステムの使用を説明する図である。
【図８】外装体に設ける内側シールの他の形態を示す外装体の部分正面図である。
【図９】外装体に設ける内側シールの他の形態を示す外装体の部分正面図である。
【図１０】外装体に設ける案内部の他の形態を示す外装体の部分正面図である。
【図１１】外装体に設ける案内部の他の形態を示す外装体の部分正面図である。
【発明を実施するための形態】
【０００８】
以下、添付図面を参照して本発明に係る輸液バッグユニットとそれに使用する外装袋を説明する。なお、以下の説明では、発明の理解を容易にするために「右」、「左」、「上」、「下」を含む用語を用いるが、それらの用語は輸液バッグ及び輸液バッグユニットの使用状態（図７に示す状態）を基準とした方向又は位置を示すものである。
【０００９】
１．輸液バッグユニット：
図１は、本発明に係る輸液バッグユニット（以下、単に「ユニット」という。）１の外観を示す。図示するように、ユニット１は、輸液バッグ３と、該輸液バッグ３を収納する外装袋５を有する。
【００１０】
２．輸液バッグ：
輸液バッグ３は、輸液７を収容する輸液収容袋９を有する。輸液収容袋９は、一般には、２枚の樹脂シートを重ね、重ね合わせた樹脂シートの所定箇所（具体的には、輸液バッグ３の上縁、下縁、両縁に相当する箇所）を連続的に加熱してシール又は溶着部（上縁シール１１、下縁シール１３、両縁シール１５）が形成されている。樹脂シートには、例えばポリエチレン樹脂からなる多層構造のシートが利用される。輸液収容袋９は、上述のように２枚の樹脂シートを重ね合わせて構成してもよいし、一枚の樹脂シートを上縁の位置で折り返して両縁と下縁、また必要であれば上縁を熱溶着することによって構成してもよい。
【００１１】
輸液収容袋９の下端中央には口栓１７が固定されている。口栓１７は、一般に、輸液収容袋９に溶着された筒状本体と、該筒状本体を通じて輸液収容袋に輸液が充填された後に該筒状本体の口部に打栓された弾性栓体と、該栓体の脱落を防止するために筒状本体に溶着されたキャップからなる。
【００１２】
３．外装袋：
外装袋５は、所定形状に加工された２枚の樹脂シート１９，２１（表側シート部１９と裏側シート部２１）を重ね、これら樹脂シート１９，２１の所定箇所（具体的には、外装袋５の下縁、上縁、両縁に相当する箇所。）に沿って連続的に加熱してシール又は溶着部が形成される。具体的には、輸液バッグ３と外装袋５を上下反転して示した図３に示すように、２枚の樹脂シート１９，２１の三辺縁部（上縁と両縁）を熱溶着して上縁シール２３と両縁シール２５を有する袋５ａを形成し、次に袋５ａに輸液バッグ３を挿入し、次に袋５ａの両縁部上端側を把持した状態で残りの一辺縁部（下縁）２７ａを熱溶着して下縁シール２７（図１参照）が形成される。以下、必要に応じて、下縁シールを「外側シール」という。
【００１３】
外装袋５の樹脂シート１９，２１は、一般には、例えばポリエチレン樹脂からなる多層構造のシートで形成される。また、外装袋５は、上述のように２枚の樹脂シートを重ね合わせて構成してもよいし、一枚の樹脂シートを上縁の位置で折り返して両縁と下縁、また必要であれば上縁を熱溶着することによって構成することもできる。
【００１４】
図１に戻り、外装袋５の上縁シール２３の中央には、吊穴２９が形成されている。
【００１５】
外装袋５は、外側シール２７の上側に別のシール又は溶着部（案内部）（以下、適宜「内側シール」という。）３１が形成されている。この内側シール３１は、外側シール２７の形成時、表側シート部１９と裏側シート部２１を熱溶着して形成される。
【００１６】
図１，２に示すように、上下方向に関して内側シール３１と外側シール２７が離間しており、これら内側シール３１と外側シール２７の間に外装体５を横方向に横断する横方向非シール部（非溶着部）３３が形成されている。内側シール３１は、右側シール部（右側溶着部）３５と左側シール部（左側溶着部）３７を有し、これら右側シール部３５と左側シール部３７の間に中央非シール部（口栓進入用非溶着部）３９が形成され、右側シール部３５と左側シール部３７と外側シール２７との間にそれぞれ右側非シール部４１と左側非シール部４３が形成されており、これら右側非シール部４１と左側非シール部４３がそれぞれ横方向非シール部３３の一部を形成している。
【００１７】
図７に示すように、中央非シール部３９は、輸液バッグシステム１の使用時にそこに輸液バッグ３の口栓１７が進入する箇所である。したがって、中央非シール部３９の左右方向の幅は、該非シール部３９を広げた状態で輸液バッグ３の口栓１７が容易に通過できる大きさとする。
【００１８】
実施の形態では右側シール部３５と左側シール部３７の外側端部は外装袋５の両縁シール２５に繋がっているが、右側シール部３５と左側シール部３７の外側端部は両側縁シール２５に繋がっていなくてもよい。また、図示しないが、右側シール部３５と左側シール部３７は複数の小シール部に分割してもよい。小シール部の配置は任意で、例えば、横方向に一列に所定の間隔をあけて一列又は複数列に配置してもよい。
【００１９】
右側シール部３５と左側シール部３７の上縁４５，４７は、図１，２に示すように、水平方向に伸ばしてもよいし、図８に示すように、外装袋５の内部に収容された輸液バッグ３の対向箇所、すなわち、図１に示すように口栓１７から両側に伸びる肩部４９の傾斜角と同じ又はほぼ同じ角度としてもよい。図２に示すように、上縁と異なり、右側シール部３５と左側シール部３７の下縁５１，５３の形状は違っている。具体的に、本実施形態では、右側シール部３５と左側シール部３７の下縁５１，５３は共に図の右側から左側に向かって下方（外側シール側）に傾斜しており、右側シール部３５の下縁内側端部（角部）５５が左側シール部３７の下縁内側端部（角部）５７よりも低くなっている。
【００２０】
右側シール部３５の近傍に位置する右縁シール２５の下端寄り外縁であって外側シール２７と内側シール３１の間には、略Ｖ形状又は略Ｕ形状の切り込み（ノッチ）５９が形成されており、この切り込み５９を始端として横方向非シール部３３を横方向に横断する引き裂き線（破断線）６１を形成することで、外側シール２７を含む外装袋５の下端部６３（図６参照）を引き裂いて分離できるようにしてある。
【００２１】
図２に示すように、切り込み５９から始まる引き裂き線（破断線）６１が横方向非シール部３３内に収まるように、左側シール部３７と右側シール部３５には種々の工夫がなされている。具体的に説明すると、引き裂きに関して、２枚の樹脂シートを熱溶着してなるシール部はこれら２枚のシートが一体となって引き裂きに抵抗するため、熱溶着されていない非シール部に比べて熱溶着されたシール部はより大きな引き裂き強度（抵抗力）を発揮するという性質を利用している。そして、右側シール部３５の下縁５１は、切り込み５９に近い右側から反対側の左側に向かって次第に外側シール２７に近づくように下方に傾斜しており、切り込み５９から始まった引き裂き線６１が上方（外側シール２７から離れる方向）にずれた場合でも、その引き裂き線６１が右側シール部３５の下縁５１に案内されながら左側に進行するようにしてある。また、右側シール部下縁５１の内側端部５５は、左側シール部下縁５３の内側端部５７よりも外側シール２７寄りに位置しており、右側シール部３５を通過して中央非シール部３９に進入した引き裂き線６１が多少上方にずれた場合でも該引き裂き線６１の先端が左側シール部下縁５３に当たるようにしてある。さらに、左側シール部下縁５３は、右側から左側に向かって次第に外側シール２７に近づくように傾斜しており、引き裂き線６１の先端が左側シール部下縁５３に案内されながら、左側シール部３７と外側シール２７の間の領域を進行するようにしてある。
【００２２】
４．使用：
このように構成された輸液バッグシステム１の使用について説明する。図４に示すように、使用時、ユーザは、左手と右手でそれぞれ、切り込み５９を挟んでその上側と下側に位置する外装袋部分を把持し、切り込み５９から右側非シール部４１に向かって該右側非シール部４１に位置する表側と裏側のシート部１９，２１を引き裂く。このとき、左右の手に加える力の加減によって、引き裂き線６１は上側又は下側（内側シール３１側又は外側シール２７側）にずれる。例えば、引き裂き線６１が上側（内側シール３１側）にずれた場合、引き裂き線６１の先端は右側シール部３５に捕まり、この右側シール部３５の下縁５１に沿って進行する。逆に、引き裂き線６１が下側（外側シール２７側）にずれた場合、引き裂き線６１の先端は外側シール２７に捕まり、この外側シール２７の上縁に沿って進行する。
【００２３】
図５に示すように、右側非シール部４１の間を通過した後、引き裂き線６１は中央非シール部３９に進入する。図示するとおり、中央非シール部３９の上側（外側シール２７の反対側）には引き裂き線６１が上側に移動するのを規制する構成が無いため、引き裂き線６１は外側シール２７から次第に離れて上方に移動することがある。この場合、左側シール部下縁５３の内側端部５７が右側シール部下縁５１の内側端部５５よりも上方（外側シール２７から離れる方向）に位置しているため、引き裂き線６１の先端が多少上方に移動しても該引き裂き線６１が左側シール部３７の上側に逸れることはない。
【００２４】
図５，６に示すように、引き裂き線６１はさらに、中央非シール部３９を通過し、左側非シール部４３に進入し、左側シール部３７と外側シール２７に規制されながら左側非シール部４３を通過し、左縁シール２５を横断して、外側シール２７と内側シール３１との間で外装袋５の下端部６３を分離する。
【００２５】
図７に示すように、この状態で、輸液バッグ３の口栓１７を中央非シール部３９に進入し、また中央非シール部３９を介して外部に露出させる。次に、外装袋５の上縁シール２３に設けた吊穴２９に吊具６９を通し、口栓１７に針（図示せず）を刺して、輸液７（図１参照）を供給する。
【００２６】
このように、上述の実施形態に係る外装袋及び輸液バッグシステムによれば、輸液バッグの輸送時又は取扱い時に外装袋に無理な力が作用しても容易にシールが破れて開封してしまうということがない。また、開封時、切り込み５９から始まった引き裂き線が力の入れ方によって内側シールに向かってずれることがあっても、引き裂き線は内側シールに案内されながら横方向非シール部を進行し、外装袋の下部領域を確実に横断する。さらに、切り込みから離れた一方のシール部（上述の実施形態では左側シール部）の内側端部が切り込みに近い他方のシール部（上述の実施形態では右側シール部）の内側端部よりも上方（外側シールから離れる方向）に配置されているので、切り込みから始まって一方のシール部の下を通過した引き裂き線は確実に他方のシール部の下縁に到達する。したがって、一方のシール部を通過した引き裂き線の先端が中央非シール部を通過して他方のシール部の上方に入ることがない。
【００２７】
５．他の形態：
上述した実施形態は本発明の一例であって、上述した実施形態を種々改変した形態も本発明の技術範囲に含まれる。例えば、上述の実施形態では、右側シール部下縁５１と左側シール部下縁５３は共に右側から左側（切り込み５９から離れる方向）に向かって次第に外側シール２７に近づくように傾斜しているが、両下縁５１，５３は外装袋５の横断方向（引き裂き方向）に平行又はほぼ平行であってもよいし、いずれか一方のみが同方向に傾斜していてもよい。なお、図９は、右側シール部下縁５１を傾斜させ、左側シール部下縁５５は横断方向に平行又はほぼ平行にした例である。
【００２８】
また、図１０に示すように、中央非シール部３９には、右側から左側（切り込み５９から離れる方向）に向かって下方（外側シール側）に傾斜した直線状溶着部（補強部）６５を左右一列に配置し、右側から左側に向かって進行する引き裂き線６１を外側シール２７に向けて案内するようにしてもよい。溶着部（案内部）６５は、内側シール３１及び外側シール２７を形成する際に該溶着部（案内部）６５に対応する箇所で表側と裏側のシート部１９，２１を溶着することによって形成できる。溶着部（補強部）６５に代えて、溶着部（補強部）６５が位置する箇所の表側又は裏側シート部部分に脆弱部を形成し、これにより右側から左側に向かって進行する引き裂き線６１を外側シール２７に向けて案内するようにしてもよい。この場合、脆弱部は、例えば表側又は裏側シートが積層シートで構成されている場合、積層前に少なくとも一枚のシートに図示する模様の複数の穴を開けることで形成することができる。
【００２９】
さらに、図１１に示すように、内側シール３１を下方に伸ばして外側シール２７に接続する一方、内側シール３１には右側から左側（切り込み５９から離れる方向）に向かって引き裂き線を案内する複数の脆弱部（非溶着部、案内部）６７を形成してもよい。なお、各脆弱部６７の形状は、限定的ではないが、図示するくの字形とし、これらくの字状の脆弱部６７を該くの字形状の中央部を切り込み５９から離れる方向に向けて右側と左側のシール部４１，４３に等間隔に配置することが好ましい。この場合も、切り込み５９から始まる引き裂き線が確実に内側シールを横方向に横断し、外装袋の下端部を分離できる。
【符号の説明】
【００３０】
１：輸液バッグユニット（ユニット）
３：輸液バッグ
５：外装袋
７：輸液
９：輸液収容袋
１１：上縁シール
１３：下縁シール
１５：両縁シール
１７：口栓
１９：表側シート部
２１：裏側シート部
２３：上縁シール
２５：両縁シール
２７：下縁シール（外側シール）
２９：吊穴
３１：内側シール
３３：横方向非シール部
３５：右側シール部
３７：左側シール部
３９：中央非シール部（口栓進入用非融着部）
４１：右側非シール部
４３：左側非シール部
４５：左側シール部の上縁
４７：右側シール部の上縁
４９：肩部
５１：右側シール部の下縁
５３：左側シール部の下縁
５５：右側シール部下縁の内側端部
５７：左側シール部下縁の内側端部
５９：切り込み（ノッチ）
６１：引き裂き線（破断線）
６３：外装袋の下端部
６５：溶着部（案内部）
６７：脆弱部（案内部）
６９：吊具
【図１】
2014124329.tif 000003
【図２】
2014124329.tif 000004
【図３】
2014124329.tif 000005
【図４】
2014124329.tif 000006
【図５】
2014124329.tif 000007
【図６】
2014124329.tif 000008
【図７】
2014124329.tif 000009
【図８】
2014124329.tif 000010
【図９】
2014124329.tif 000011
【図１０】
2014124329.tif 000012
【図１１】
2014124329.tif 000013